(57)【特許請求の範囲】
【請求項１】
防爆型バッテリ式フォークリフトに搭載されたバッテリを充電する際に、バッテリ側プラグと充電器側プラグとを固定するためのバッテリプラグ固定具であって、
前記バッテリと車体フレームとの間に形成される細長空間に挿入可能な挿入プレート部と、
前記充電器側プラグを支持する支持プレート部と、
前記挿入プレート部を前記細長空間に挿入した際に、前記車体フレームに設けられたロック部に対して係合可能な係合部とを備え、
前記挿入プレート部を前記細長空間に挿入して、前記係合部と前記ロック部とを係合することで、前記充電器側プラグと前記バッテリ側プラグとが固定されることを特徴とするバッテリプラグ固定具。
【請求項２】
前記挿入プレート部と前記支持プレート部とが一枚のプレート部材で構成されており、前記支持プレート部は、少なくとも１つの取手用孔を備えていることを特徴とする請求項１に記載のバッテリプラグ固定具。
【請求項３】
前記車体フレームは、前記細長空間に設けられ、前記バッテリに向けて突出して、前記挿入プレート部をガイドするためのガイド部を備えており、
前記ガイド部に沿って前記挿入プレート部を前記細長空間に挿入することを特徴とする請求項１又は２に記載のバッテリプラグ固定具。
【請求項４】
前記ロック部は、車体に設けられたバッテリカバーを閉じることができ、
前記係合部は、前記ロック部に設けられたリング部を係合するために、フック形状に構成されていることを特徴とする請求項１〜３のいずれかに記載のバッテリプラグ固定具。
【請求項５】
前記係合部と前記ロック部とを係合する際に、前記挿入プレート部が曲がらないようにするための折れ曲げ防止部を備えることを特徴とする請求項４に記載のバッテリプラグ固定具。
【発明の詳細な説明】
【技術分野】
【０００１】
本発明は、防爆型のバッテリ式フォークリフトに搭載されたバッテリを充電する際に、バッテリ側プラグと充電器側プラグとを固定するためのバッテリプラグ固定具に関するものである。
【背景技術】
【０００２】
可燃性ガスや粉塵等が存在する環境下では、安全上、エンジンを搭載したフォークリフトは使用できないため、バッテリを搭載したフォークリフトが使用される。このようなバッテリ式フォークリフトでも、電気回路に火花が発生すると周囲の可燃性ガスなどに引火して爆発を起こす危険性があるため、可燃性ガスや粉塵等が存在する環境下では、防爆型のバッテリ式フォークリフトが使用される（特許文献１等参照）。
【０００３】
防爆型のバッテリ式フォークリフトは、車体に搭載されたバッテリ側のプラグと、電力を供給する充電器側のプラグとを接続することによって、バッテリが充電される。バッテリ側プラグと充電器側プラグとは、単に嵌め合わされて接続されているだけなので、充電器側プラグから延びるケーブルに作業者が引っ掛かったり、作業者がプラグに接触すると、プラグが抜けたり接触不良になっていた。
【０００４】
プラグが抜けるとバッテリを充電できず、接触不良になると発熱によって火災が発生することがあった。そこで、充電中にプラグが簡単に抜けないようにするため、例えば特許文献２のように、各プラグにロック部材を取り付ければ、それぞれのプラグを強固に係合でき、充電性及び安全性を確保できる。ところが、防爆型のバッテリ式フォークリフトは、労働大臣の定めた防爆構造の規定による検定（以下「防爆検定」という）を受けているので、バッテリやバッテリ側プラグ等の構造を簡単には変更できない。また、各プラグを強固に係合するために、バッテリ側プラグ等の構造を変更すれば、改めて防爆検定を受ける必要があり、そのための時間及び費用がかかる。
【先行技術文献】
【特許文献】
【０００５】
【特許文献１】特開２０００−２８１２９９号公報
【特許文献２】特開２０１０−２６２８４５号公報
【発明の概要】
【発明が解決しようとする課題】
【０００６】
そこで、本発明が解決しようとする課題は、防爆検定を受けた防爆型のバッテリ式フォークリフトに対して、バッテリ側プラグ等の構造を変更する必要がなく、バッテリ側プラグと充電器側プラグとを強く固定できるバッテリプラグ固定具を提供することである。
【課題を解決するための手段】
【０００７】
上記課題を解決するために、本発明に係るバッテリプラグ固定具は、
防爆型バッテリ式フォークリフトに搭載されたバッテリを充電する際に、バッテリ側プラグと充電器側プラグとを固定するためのバッテリプラグ固定具であって、
バッテリと車体フレームとの間に形成される細長空間に挿入可能な挿入プレート部と、
充電器側プラグを支持する支持プレート部と、
挿入プレート部を細長空間に挿入した際に、車体フレームに設けられたロック部に対して係合可能な係合部とを備え、
挿入プレート部を細長空間に挿入して、係合部とロック部とを係合することで、充電器側プラグとバッテリ側プラグとが固定される。
【０００８】
好ましくは、
挿入プレート部と支持プレート部とが一枚のプレート部材で構成されており、支持プレート部は、少なくとも１つの取手用孔を備えている。
【０００９】
好ましくは、
車体フレームは、細長空間に設けられ、バッテリに向けて突出して、挿入プレート部をガイドするためのガイド部を備えており、
ガイド部に沿って挿入プレート部を細長空間に挿入する。
【００１０】
好ましくは、
ロック部は、車体に設けられたバッテリカバーを閉じることができ、
係合部は、ロック部に設けられたリング部を係合するために、フック形状に構成されている。
【００１１】
好ましくは、
係合部とロック部とを係合する際に、挿入プレート部が曲がらないようにするための折れ曲げ防止部を備える。
【発明の効果】
【００１２】
本発明に係るバッテリプラグ固定具は、バッテリと車体フレームとの間に形成される細長空間に挿入可能な挿入プレート部と、充電器側プラグを支持する支持プレート部と、挿入プレート部を細長空間に挿入した際に、車体フレームに設けられたロック部に対して係合可能な係合部とを備える。そして、挿入プレート部を細長空間に挿入して、係合部とロック部とを係合することで、充電側プラグとバッテリ側プラグとが強く固定される。これにより、防爆検定を受けた防爆型のバッテリ式フォークリフトに対して、バッテリやバッテリ側プラグ等の構造を変更する必要がないので、改めて防爆検定を受けることなく、バッテリ側プラグと充電器側プラグとを強く固定できる。
【図面の簡単な説明】
【００１３】
【図１】防爆型リーチ式フォークリフトを示す側面図。
【図２】バッテリプラグ固定具を装着する前における、防爆型リーチ式フォークリフトを示す斜視図。
【図３】（Ａ）は、バッテリプラグ固定具を防爆型リーチ式フォークリフトに装着した状態を示す側面図。（Ｂ）は、車体側面側から見た細長空間を説明するための拡大断面図。
【発明を実施するための形態】
【００１４】
以下、図面に基づき、本発明のバッテリプラグ固定具について説明する。
【００１５】
図１の通り、防爆型バッテリ式フォークリフト２は、オペレータが乗り込み可能な車体６０を備える。フォークリフトは、車体６０の下部から前後（水平）方向に延設された一対のストラドルアーム６１を備える。ストラドルアーム６１は、左右方向に平行に配置されている。フォークリフトは、前後（水平）方向に延設されたフォーク７２を備える。フォークリフトは、フォーク７２の昇降（リフト）動作及び進退（リーチ）動作を案内するマスト６２を備える。
【００１６】
マスト６２は、昇降（垂直）方向に立設している。フォークリフトは、マスト６２に沿って立設されたリフト用油圧シリンダ７１を備える。リフト用油圧シリンダ７１は、マスト６２及びフォーク７２を昇降（リフト）動作する。フォークリフトは、マスト６２を前後方向に移動するマストキャリッジ６３を備える。マストキャリッジ６３は、ストラドルアーム６１に沿って前後移動し、進退（リーチ）動作する。
【００１７】
フォークリフトは、車体６０の後部にドライブタイヤ７５及びキャスタタイヤ７４を備える。ストラドルアーム６１の前端に、ロードタイヤ７６を備える。フォークリフトは、車体６０に走行モータ７３を備える。走行モータ７３によって、ドライブタイヤ７５が回転駆動し、フォークリフトは、前後方向に進退移動すると共に旋回動作する。
【００１８】
フォークリフトは、オペレータが乗り込む運転席に操作パネル３７を備える。操作パネル３７には、フォークリフトの進退及び旋回移動やマスト６２等の昇降及び進退動作を操作するために、油圧シリンダ７１や走行モータ７３等を操作する操作レバー等が配置されている。フォークリフトは、車体６０にバッテリ６４を備える。バッテリ６４は、走行モータ７３等の動力源となる。
【００１９】
なお、防爆型バッテリ式フォークリフト２は、可燃性ガスや粉塵等が存在する環境下で爆発を起こす危険性がないように、防爆検定を受けているので、バッテリ６４やバッテリ側プラグ等の構造を簡単には変更できないようになっている。
【００２０】
図２の通り、バッテリ６４は、走行（通常）時には、車体６０に収納されており、メンテナンス時などには、車体６０に設けられたバッテリカバー６５を開いてメンテナンスできるようになっている。車体６０には、上側に比較的大きなバッテリカバー６５が設けられ、下側に比較的小さな飛び出し防止カバー６６が設けられている。メンテナンス時において、バッテリ６４を車体左右方向にスライドして取り出すことができるようになっているが、バッテリ６４が不意にスライドすると非常に危険なので、飛び出し防止カバー６６を閉じると、バッテリ６４の飛び出しを防止できるようになっている。
【００２１】
車体６０は、車体正面側に車体正面フレーム６００を備える。車体正面フレーム６００には、３つのロック部６０１，６０２，６０３が取り付けられており、各ロック部６０１，６０２，６０３は、バッテリカバー６５に設けられた２つの係合部６５０，６５１と、飛び出し防止カバー６６に設けられた係合部６６１とを係合できるようになっている。ロック部６０１，６０２を係合及び解除することで、バッテリカバー６５を開閉できると共に、ロック部６０３を係合及び解除することで、飛び出し防止カバー６６を開閉できる。
【００２２】
本実施形態において、図３の通り、ロック部６０１は、従来よりある止め金具であって、リング部６０１ａとレバー部６０１ｂとを備え、レバー部６０１ｂを回動することでリング部６０１ａの位置を移動できる。そして、車体６０に設けられたフック形状の係合部６５０にリング部６０１ａを引っ掛けて、レバー部６０１ｂを回動することで、係合部６５０とフック部６０１とを係合・固定する。
【００２３】
車体６０にバッテリ６４を収納した状態において、車体正面フレーム６００とバッテリ６４との間に、垂直方向（車体上下方向）に延設される細長空間２１が形成される。また、バッテリ６４は、充電の際に充電器と接続するためのバッテリ側プラグ２０を備え、バッテリ側プラグ２０は、細長空間２１の上方に配置される。
【００２４】
図２の通り、バッテリプラグ固定具１は、本体がＬ字形状の１枚のプレート部材で構成されており、水平方向（車体左右方向）に延設された挿入プレート部１０と、垂直方向（車体上下方向）に延設された支持プレート部１１とからなる。挿入プレート部１０は、車体６０に形成される細長空間２１に挿入可能になっている。支持プレート部１１は、ロック部６０１，６０２に係合可能な２つの係合部１２，１３を支持する。さらに、支持プレート部１１は、バッテリ側プラグ２０に接続可能な充電器側プラグ１４を支持する。また、支持プレート部１１は、作業者が把持するための取手用孔１５を備えている。
【００２５】
図３（Ｂ）の通り、車体正面フレーム６００は、バッテリ６４に向けて突出した２つのガイド部２２，２３を備える。ガイド部２２，２３は、水平方向（車体左右方向）に延設されており（図２）、上側のガイド部２２と下側のガイド部２３との間に、バッテリプラグ固定具１の挿入プレート部１０を挿入できるようになっている。ガイド部２２，２３は、細長い平板であって、溶接で車体正面フレーム６００の内側に固定されている。
【００２６】
そして、図３（Ａ）の通り、挿入プレート部１０をガイド部２２，２３に沿って細長空間２１に挿入することで、充電器側プラグ１４とバッテリ側プラグ２０とが接続されるようになっている。さらに、バッテリプラグ固定具１の係合部１２，１３に対して、車体６０のロック部６０１，６０２を係合することで、バッテリプラグ固定具１は強く固定されるので、充電器側プラグ１４とバッテリ側プラグ２０との接続が外れることがない。
【００２７】
フック形状の係合部１２，１３にリング部６０１ａ，６０２ａを引っ掛けた状態で、ロック部６０１，６０２のレバー部６０１ｂ，６０２ｂを回動することで、リング部６０１ａ，６０２ａを車体６０側に引っ張ることで固定する。これによって、挿入プレート部１０に対して車体前後方向（プレート面に対して直角方向）の力が加わり、挿入プレート部１０が曲がる可能性がある。それを防止するために、支持プレート部１１に折れ曲げ防止部１６が設けられている。折れ曲げ防止部１６は、支持プレート部１１のプレート面に対して直角な直角面１６ａを備えており、車体前後方向の力が加わっても、直角面１６ａがバッテリ６４に当接して突っ張ることで、挿入プレート部１０が折れ曲がらないようになっている。
【００２８】
バッテリプラグ固定具１により、防爆検定を受けた防爆型のバッテリ式フォークリフト２に対して、バッテリ６４やバッテリ側プラグ２０等の構造を変更する必要がないので、改めて防爆検定を受けることなく、バッテリ側プラグ２０と充電器側プラグ１４とを強く固定できる。さらに、充電器側プラグ１４から延びるケーブルに作業者が引っ掛かったり、作業者がプラグ１４に接触して、プラグ１４が抜けたり接触不良になることがなく、非常に安全である。
【００２９】
なお、上記実施形態では、バッテリカバー６５を開閉するためのロック部６０１，６０２を利用して、バッテリプラグ固定具１を固定したが、車体６０に設けた別のロック部でバッテリプラグ固定具１を固定してもよい。また、ガイド部２２，２３は、連続したものでも、不連続なものでもよい。また、支持プレート部１１に取手用孔１５が形成されているが、支持プレート部１１から突出したハンドル型の取手でもよい。
【符号の説明】
【００３０】
１  バッテリプラグ固定具
２  防爆型バッテリ式フォークリフト
１０  挿入プレート部
１１  支持プレート部
１２，１３  係合部
１４  充電器側プラグ
１５  取手用孔
１６  折れ曲げ防止部
２０  バッテリ側プラグ
２１  細長空間
６０  車体
６４  バッテリ
６５  バッテリカバー
６００  車体正面フレーム
６０１，６０２  ロック部
６０１ａ，６０２ａ  リング部
【図１】
0005311423.tif 000002
【図２】
0005311423.tif 000003
【図３】
0005311423.tif 000004